(57)【要約】【課題】光ファイバケーブル心線の接続状況情報をタイムリーに正確に把握するとともに、光心線の分割損を解消し、自動心線切替を行うことにより光心線の心線使用率の向上をタイムリーに図る。【解決手段】光ファイバ網における光ファイバ心線接続個所に設置する遠隔操作可能な光ファイバケーブル心線管理配線盤であって、光ファイバの先端に接続された光コネクタを収容するポートを備え、該ポートに、あらかじめ光ファイバ心線の識別情報が付された光コネクタが接続されたときは該識別情報を収容されたポートの番号と関連させて読取る読取り手段、それらの情報を全て蓄積する蓄積手段、および、該蓄積手段に蓄積した情報、または前記読取り手段がリアルタイムに読取った情報を、所定の光ファイバによりあらかじめ指定した管理センタに伝送する伝送手段を備えた。【選択図】  図２
2005303809.tif 000002
【特許請求の範囲】
【請求項１】
光ファイバ網における光ファイバ心線接続個所に設置する遠隔操作可能な光ファイバケーブル心線管理配線盤であって、
あらかじめ光ファイバケーブルの各光心線の識別情報が付された光コネクタを収容するポート、
該ポートに前記光コネクタが接続されたときは該コネクタの識別情報をそのポートの番号と関連させて読取る読取り手段、および
該読取り手段が読取った情報を、所定の光心線によりあらかじめ指定した管理センタに伝送する伝送手段、を備えたことを特徴とする光ファイバケーブル心線管理配線盤。
【請求項２】
請求項１記載の光ファイバケーブル心線管理配線盤はさらに、読取り手段が読取った情報を蓄積する蓄積手段を備え、前記伝送手段は、前記蓄積手段に蓄積した情報、または前記読取り手段がリアルタイムに読取った情報を、所定の光ファイバによりあらかじめ指定した管理センタに伝送する光ファイバケーブル心線管理配線盤。
【請求項３】
請求項１または２記載の光ファイバケーブル心線管理配線盤はさらに、前記管理センタから所定の光心線を介して切替え信号を受けて光心線を１心単位で各方面別の光ファイバケーブルの光心線に切替える切替え手段を備え、前記蓄積手段は該切替え手段が切替えた接続情報を全て蓄積する光ファイバケーブル心線管理配線盤。
【請求項４】
請求項１乃至３記載の光ファイバケーブル心線管理配線盤において、前記光コネクタには接続された光心線番号を識別するバーコードが付され、前記読取り手段として、前記ポートに収納された光コネクタのバーコードを読取るバーコード読取り手段が備えられている光ファイバケーブル心線管理配線盤。
【請求項５】
請求項１乃至４のいずれか一項記載の光ファイバケーブル心線管理配線盤は耐環境性を備えた収納用ボックスに収納され、さらに収納ボックス内または外部の温湿度を自動測定する測定手段を備え、該測定手段が測定した温湿度は前記記憶手段に記憶され、前記伝送手段は、前記蓄積手段に蓄積した情報、または前記測定手段がリアルタイムに読取った情報を所定の光ファイバによりあらかじめ指定した管理センタに伝送する光ファイバケーブル心線管理配線盤。
【請求項６】
請求項５記載の光ファイバケーブル心線管理配線盤はさらに、配線盤の故障時にアラームをセンタ側に送信する手段を備えた光ファイバケーブル心線管理配線盤。
【請求項７】
光ファイバ網における光ファイバ心線接続個所に設置する遠隔操作可能な請求項１乃至６のいずれか一項記載の光ファイバケーブル心線管理配線盤と光ファイバケーブルで接続される集中制御装置であって、
前記各光ファイバケーブル心線管理配線盤から伝送されてくる情報を入力する入力手段と、
入力した情報を蓄積する蓄積手段、を備えたことを特徴とする集中制御装置。
【請求項８】
請求項７記載の集中制御装置はさらに、前記蓄積手段が蓄積した情報または入力した情報をリアルタイムに表示する表示手段、編集する編集手段、および印刷する印刷手段を備えたことを特徴とする集中制御装置。
【請求項９】
請求項７または８記載の集中制御装置は、前記入力した情報から光ファイバ網全体において最も心線使用率が高い光心線接続態様を自動計算する演算制御手段を備えた集中制御装置。
【請求項１０】
請求項９記載の集中制御装置において、前記演算制御手段は、演算した最も心線使用率が高い心線接続態様となるように切替対象の光ファイバケーブル心線管理配線盤に前記光ファイバケーブルの所定の光心線を介して切替信号を伝送する機能を備えた集中制御装置。
【請求項１１】
請求項９または１０記載の集中制御装置において、前記演算制御手段はさらに、前記自動計算した光心線接続態様における切替対象光心線の顧客情報から切替工事情報を電子メールにて通知する機能、および前記切替対象光心線を接続する光ファイバケーブル心線管理配線盤に対して光心線の自動切替指示を伝送する機能を備えた集中制御装置。
【発明の詳細な説明】
【技術分野】
【０００１】
本発明は、光通信分野に利用される、特に、光ファイバを媒体としたネットワーク（光ファイバ網）において遠隔設置される光ファイバケーブル心線管理配線盤及び集中制御装置に関する。
【背景技術】
【０００２】
近年、光通信を使ったインターネット接続等のサービス拡充により、光ファイバ（光心線）を事業所、加入者宅まで引き込む需要が増大している。電話局（収容局）には、多数の加入者宅を結ぶ光ファイバ（光心線）を収容するため、多数の光心線を接続する光心線集線装置が備えられている。この光心線集線装置に接続された多数の光心線が束ねられた光ファイバケーブルが電話局外に引き出され、経路途中に設けられた複数の心線管理配線盤（クロージャ）で分岐接続されている。加入者宅には、この心線管理配線盤から分岐された光心線（光ファイバ）が引き込まれる。したがって、加入者宅に引き込まれた光心線と、収容局の光心線集線装置に接続された心線との接続状況を容易にかつ正確に把握することが望まれている。
【０００３】
ケーブル心線の接続に関しては、電話局と加入者とのケーブル線の接続関係を管理する技術として、特許文献１などがある。
【特許文献１】特開昭６２−５８７４１号公報
【発明の開示】
【発明が解決しようとする課題】
【０００４】
しかしながら、光ファイバケーブルの心線接続状況の把握については、設備量の増加及び設備の変更に伴い正確に維持管理することが困難となっている。また、光心線のテープ構造化に伴い、接続点における各方面に対する光心線の分割損が発生している。
【０００５】
本発明は、光ファイバケーブル心線の接続状況情報をタイムリーに正確に把握するとともに、光心線の分割損を解消し、自動心線切替を行うことにより光心線の心線使用率の向上をタイムリーに図ることを目的とする。
【課題を解決するための手段】
【０００６】
前記目的を達成する本発明は、光ファイバ網における光ファイバ心線接続個所に設置する遠隔操作可能な光ファイバケーブル心線管理配線盤であって、あらかじめ光ファイバケーブルの光心線の識別情報が付された光コネクタを収容するポートと、該ポートに、上記光コネクタが接続されたときは該コネクタの識別情報を収容されたポートの番号と関連させて読取る読取り手段、該読取り手段が読取った情報を、所定の光ファイバによりあらかじめ指定した管理センタに伝送する伝送手段、を備えたことに特徴を有する。
【０００７】
請求項２記載の発明は、前記読取り手段が読取った情報を蓄積する蓄積手段を備え、前記伝送手段は、前記蓄積手段に蓄積した情報、または前記読取り手段がリアルタイムに読取った情報を、所定の光ファイバによりあらかじめ指定した管理センタに伝送する。
【０００８】
請求項３記載の発明は、前記管理センタから所定の光心線を介して切替信号を受けて光心線を１心単位で各方面別の光ファイバケーブルの光心線に切替える切替手段を備え、前記蓄積手段は該切替手段が切替えた接続情報を全て蓄積する。
【０００９】
請求項４記載の発明は、前記光コネクタには接続された光心線番号を識別するバーコードが付され、前記読取り手段として、前記ポートに収納された光コネクタのバーコードを読取るバーコード読取り手段が備えられる。
【００１０】
請求項５記載の発明は、光ファイバケーブル心線管理配線盤は耐環境性を備えた収納用ボックスに収納され、さらに収納ボックス内または外部の温湿度を自動測定する測定手段を備え、該測定手段が測定した温湿度は前記記憶手段に記憶され、前記伝送手段は、前記蓄積手段に蓄積した情報、または前記測定手段がリアルタイムに読取った情報を、所定の光ファイバによりあらかじめ指定した管理センタに伝送する。請求項６記載の発明は、さらに配線盤の故障時にアラームをセンタ側に送信する手段を備える。
【００１１】
光ファイバ網における光ファイバ心線接続個所に設置する遠隔操作可能な請求項１乃至６のいずれか一項記載の光ファイバケーブル心線管理配線盤と光ファイバケーブルで接続される集中制御装置にかかる発明は、各光ファイバケーブル心線管理配線盤から伝送されてくる情報を入力する入力手段、および入力した情報を蓄積する蓄積手段を備えたことに特徴を有する。
【００１２】
請求項８記載の発明は、前記蓄積手段が蓄積した情報または入力した情報をリアルタイムに表示する表示手段、編集する編集手段、および印刷する印刷手段を備える。
【００１３】
請求項９記載の発明は、前記入力した情報から光ファイバ網全体において最も心線使用率が高い光心線接続態様を自動計算する演算制御手段を備える。
【００１４】
請求項１０記載の発明の前記演算制御手段は、演算した最も心線使用率が高い心線接続態様となるように切替対象の光ファイバケーブル心線管理配線盤に前記光ファイバケーブルの所定の光心線を介して切替信号を伝送する機能を備える。
【００１５】
請求項１１記載の発明は、前記演算制御手段がさらに、前記自動計算した光心線接続態様における切替対象光心線の顧客情報から切替工事情報を電子メールにて通知する機能、および切替対象光心線を接続する光ファイバケーブル心線管理配線盤に対して光心線の自動切替指示を伝送する機能を備える。
【発明の効果】
【００１６】
本発明によれば、光ファイバ網内の光心線の接続状況を一元的にタイムリーに把握可能になり、光心線の管理の簡素化及び同光ファイバ網内において最も光心線使用効率が高くなるように光心線の切替えが遠隔制御により可能になるので、設備構築費用の削減、維持管理費用の削減が可能となる。
【００１７】
また、集中制御装置による一元的な自動切替が可能なことから、光サービスを希望するユーザに対して、最もタイムリーに光心線を提供することが可能となる。
【００１８】
光心線１心単位で切替えが可能なことから、光ケーブルの分割損の解消が可能となる。
【００１９】
なお、光心線の切替えに伴う事前のユーザ案内についても、自動により可能なため、切替時間の短縮が図られる。
【発明を実施するための最良の形態】
【００２０】
図１は、本発明のシステム概念図を示す図である。管理センタ（収容局）内に、集中制御装置１および該集中制御装置１で管理される光心線集線装置２が設置される。光心線集線装置２には、多数の光心線５（光ファイバ）がバンドルされた光ケーブル４が複数接続され、それぞれ収容局外に引き出される。光ケーブル４は、その経路途中において、心線管理配線盤（クロージャ）３で中継されながら延設される。
【００２１】
図２には、心線管理配線盤３の概要をブロック回路図として示した。心線管理配線盤３は、光ケーブル４を分岐接続するために、一対の光心線集線装置２を備えている。一対の光心線集線装置２は、光心線切替装置６を介して接続されている。この光心線切替装置６により、一方（管理センタ側）の光ケーブル４の光心線５と、他方（加入者側）の光ケーブル４の光心線５とが接続され、また各加入者宅に引き込む光心線（光ファイバ）の分岐が可能になる。
【００２２】
各光心線集線装置２は、光ケーブル４の各光心線５を１本単位で接続できるように多数のポート（コネクタ）を備え、ポート単位で接続切替可能に光心線切替装置６で接続されている。光心線集線装置２の各ポートに収容された光心線５は１本単位で識別され、光心線識別データはポート番号と関連させて情報制御蓄積装置９に蓄積される。また、情報制御蓄積装置９に蓄積されたポート番号と関連させた識別データ、または識別されたポート番号と関連させた識別データはリアルタイムに、伝送手段としての送受信装置７を介して、所定の光心線５を介して予め指定された集中制御装置１に送信される。このように光心線集線装置２はポート単位で光心線５を識別することで、ポート間の接続を光心線切替装置６を介してポート単位、光心線５を１本単位で管理し、切替えることができる。
【００２３】
心線管理配線盤３の各電子部品は耐環境性を備えた収納用ボックス１７に収納され、収納用ボックス１７には、内、外の温度、湿度等の環境情報を測定するセンサ８ａ、８ｂが配置されている。センサ８ａ、８ｂの出力は、センサ制御装置８を介して環境情報として監視及びアラーム発出装置１０に入力される。監視及びアラーム発出装置１０は、入力した環境情報を常時監視し、情報制御蓄積装置９に蓄積する。監視及びアラーム発出装置１０は、入力した環境情報が予め設定された閾値を超えたことを検知すると、情報制御蓄積装置９に蓄積し、または送受信装置７を介してリアルタイムに、光ケーブル４の所定の光心線５を介して集中制御装置１に送信する。
【００２４】
なお、光心線集線装置２のコネクタの一つは送受信装置７と１本の光心線を介して接続されていて、送受信装置７はその光心線、コネクタを介して光ケーブル４内の１本の光心線５と接続され、その光心線５を介して集中制御装置１と接続されている。
【００２５】
この集中制御装置１の概要を図３に示した。集中制御装置１には、複数の光心線集線装置２が備えられている。各光心線集線装置２の特定の光心線およびバーコード読取装置１６は送受信装置７に接続されている。送受信装置７は、心線管理配線盤３から送信された心線識別情報、環境情報を受信して、心線管理配線盤制御装置１１に出力する。心線管理配線盤制御装置１１は、入力した心線識別情報、環境情報を情報蓄積及び計算装置１２に送り、情報蓄積及び計算装置１２はこれらのデータを蓄積する。
【００２６】
情報蓄積及び計算装置１２には、外部操作手段としてパーソナルコンピュータ１３が接続されている。情報蓄積及び計算装置１２は、このパーソナルコンピュータ１３から入力されるコマンド等により制御され、光ファイバ網の接続状況をパーソナルコンピュータ１３に出力し、あるいは収納用ボックス１７内外のセンサ８ａ、８ｂが検出した環境（温湿度）情報をパーソナルコンピュータ１３に出力する。パーソナルコンピュータ１３のディスプレイには、光ファイバ網の光心線ごとの接続状況、心線管理配線盤３毎に温湿度情報が表示され、またこれらの情報はプリンタ１８によって印刷される。
【００２７】
さらに情報蓄積及び計算装置１２は、パーソナルコンピュータ１３から指示を受けたとき等、必要に応じて光ファイバ網内の光心線の心線使用率を上げることができる光心線切替点を算出し、切替対象心線に収容されているユーザに対して、インターネット網１９等を通じて事前に切替案内を出すとともに、心線管理配線盤制御装置１１により、対象となる心線管理配線盤３に対して切替指示情報を送信する。
【００２８】
遠隔に設置された心線管理配線盤３においては、入力した切替指示情報に基づき光心線切替装置６が、１心単位で光心線５を選択し、接続を切替える。
【００２９】
このように本発明によれば、光ケーブル４の分岐接続点に設置した遠隔操作の可能な心線管理配線盤３の光心線接続状況情報を光ケーブル４を伝送媒体にして集中制御装置１に送信し、光ファイバ網内の光心線接続状況を集中制御装置１により一元的に把握、管理することが可能となる。
【００３０】
また、心線管理配線盤３内外のセンサ８ａ、８ｂの温湿度情報を監視及びアラーム発出装置１０により常に監視し、異常の際にはアラーム信号を送受信装置７および光ケーブル４を介して管理センタ側の集中制御装置１に送信することにより、異常を早期に検出し、故障を事前に防止することが可能となる。
【００３１】
各光心線５を識別する手段として、コネクタ１４、１５にバーコードを付することができる。図４に、各光心線５の端末に装着されるコネクタ１４、１５の斜視図、およびこれらのコネクタ１４、１５が接続される光心線集線装置２の要部断面を示した。コネクタ１４、１５の表面には、このコネクタ１４、１５を、したがってコネクタ１４、１５が装着された光心線５を識別するバーコード１４ａ、１５ａが付されている。この実施例において、バーコード１４ａは一次元バーコード、バーコード１５ａは二次元バーコードである。
【００３２】
一方、各光心線集線装置２には、このコネクタ１４、１５が接続されるポート（コネクタ）２ａと、ポート２ａにコネクタ１４、１５が装着されたときにバーコード１４ａ、１５ａと対向し、その内容を読取るバーコード読取装置１６が設けられている。バーコード読取装置１６が読取ったバーコードは、心線識別情報として、送受信装置７により光ケーブル４の所定の光心線を介して集中制御装置１に送信される。集中制御装置１は、この接続情報をデータベースとして蓄積して一元的に管理する。光ファイバ心線の接続状況を一元的に把握できるため、光ファイバ心線の管理の簡素化、および光ファイバ心線の使用効率を高めることが可能になる。
【００３３】
本発明は、光サービスを提供するユーザのための光ファイバ網の構築に伴う光ケーブル４に対して、図１に示すシステムを必要に応じて設置する。集中制御装置１のパーソナルコンピュータ１３を用いることにより、光サービスを希望するユーザに対して、最もタイムリーに光心線を提供することが可能となる。
【図面の簡単な説明】
【００３４】
【図１】本発明を適用したシステムの概要を示す図。
【図２】本発明の心線管理配線盤の実施形態の概要を示す図。
【図３】本発明の集中制御装置の実施形態の概要を示す図。
【図４】光心線識別情報を読取るための実施形態の概要を示す図。
【符号の説明】
【００３５】
１      集中制御装置
２      光心線集線装置
３      心線管理配線盤
４      光ケーブル
５      光心線
６      光心線切替装置
７      送受信装置
８      センサ制御装置
９      情報制御蓄積装置
１０    監視およびアラーム発出装置
１１    心線管理配線盤制御装置
１２    情報蓄積及び計算装置
１３    パーソナルコンピュータ
１４    バーコード光コネクタ
１５    ２次元バーコードコネクタ
１６    バーコード読取装置
１７    収納用ボックス
１８    プリンタ
１９    インターネット網
【図１】
2005303809.tif 000003
【図２】
2005303809.tif 000004
【図３】
2005303809.tif 000005
【図４】
2005303809.tif 000006